(57)【要約】【課題】扉部材が閉じる方向に扉部材を付勢する弾性部材を備える扉構造において、ユーザの使用感を向上することが可能な技術を提供する。【解決手段】本明細書は、機器本体と、下方の回動軸周りで機器本体に対して回動して機器本体の前側開口を開閉する扉部材と、扉部材が閉じる方向に扉部材を付勢する弾性部材を備える扉構造を開示する。その扉構造は、扉部材が完全に閉じた状態から第１開き角度で開いた状態までの間は、実質的に弾性部材の付勢力が扉部材に作用しないように構成されている。【選択図】図５
2016007450.tif 000002
【特許請求の範囲】
【請求項１】
機器本体と、
下方の回動軸周りで機器本体に対して回動して機器本体の前側開口を開閉する扉部材と、
扉部材が閉じる方向に扉部材を付勢する弾性部材を備える扉構造であって、
扉部材が完全に閉じた状態から第１開き角度で開いた状態までの間は、実質的に弾性部材の付勢力が扉部材に作用しないように構成されている、扉構造。
【請求項２】
扉部材に設けられたアーム部材と、
アーム部材と弾性部材の間に介在するカム部材と、
ストッパ部材をさらに備えており、
弾性部材の付勢力は、カム部材とアーム部材を介して扉部材に作用するように構成されており、
アーム部材およびカム部材の一方にカム溝が形成されており、アーム部材およびカム部材の他方にカム溝の一方の端部と他方の端部の間でカム溝内を摺動可能なカムピンが取り付けられており、
扉部材が完全に閉じた状態から第１開き角度で開いた状態までの間は、カムピンがカム溝内で摺動することで、実質的に弾性部材の付勢力が扉部材に作用せず、
扉部材が第１開き角度を超えて開いた状態では、カムピンがカム溝の端部の側面に当接することで、弾性部材の付勢力が扉部材に作用し、
扉部材が第１開き角度で開いた状態から完全に閉じた状態まで閉じる際に、ストッパ部材がカム部材と当接して、カムピンがカム溝の端部の側面から離れてカム溝内で摺動する、請求項１の扉構造。
【請求項３】
扉部材の上面に操作部が配置されている、請求項１または２の扉構造。
【請求項４】
扉部材が第１開き角度よりも大きい第２開き角度で開いた状態において、扉部材の重量と弾性部材の付勢力が釣り合うように構成されている、請求項３の扉構造。
【請求項５】
システムキッチンに組み込まれる食器洗浄機であって、請求項１から４の何れか一項の扉構造を有する食器洗浄機。
【発明の詳細な説明】
【技術分野】
【０００１】
本明細書は、扉構造および食器洗浄機に関する。
【背景技術】
【０００２】
特許文献１に、機器本体と、下方の回動軸周りで機器本体に対して回動して機器本体の前側開口を開閉する扉部材と、扉部材が閉じる方向に扉部材を付勢する弾性部材を備える扉構造が開示されている。この扉構造によれば、ユーザは小さな操作力で扉部材を閉じることができる。
【先行技術文献】
【特許文献】
【０００３】
【特許文献１】特開２００８−３９２７７号公報
【発明の概要】
【発明が解決しようとする課題】
【０００４】
特許文献１の技術では、扉部材が完全に閉じた状態から扉部材が完全に開いた状態までの間、弾性部材が常に扉部材を付勢している。このような構成では、扉部材を完全に閉じた状態から少しだけ開きたい場合でも、ユーザは弾性部材の付勢力に抗して扉部材を開く方向に操作力をかける必要があり、ユーザの使用感が損なわれている。特に、扉部材の上面に操作部が配置されている場合には、ユーザが操作部を視認して操作するために扉部材を少しだけ開く機会が多く、扉部材を少しだけ開く際にはそれほど大きな操作力を必要としないことが望まれている。
【０００５】
本明細書は上記の課題を解決する技術を提供する。本明細書は、扉部材が閉じる方向に扉部材を付勢する弾性部材を備える扉構造において、ユーザの使用感を向上することが可能な技術を提供する。
【課題を解決するための手段】
【０００６】
本明細書は、機器本体と、下方の回動軸周りで機器本体に対して回動して機器本体の前側開口を開閉する扉部材と、扉部材が閉じる方向に扉部材を付勢する弾性部材を備える扉構造を開示する。その扉構造は、扉部材が完全に閉じた状態から第１開き角度で開いた状態までの間は、実質的に弾性部材の付勢力が扉部材に作用しないように構成されている。
【０００７】
上記の扉構造では、扉部材を完全に閉じた状態から少しだけ開く場合には、弾性部材の付勢力が扉部材に作用しないため、極めて小さな操作力で扉部材を開くことができ、ユーザの使用感を向上することができる。
【０００８】
上記の扉構造は、扉部材に設けられたアーム部材と、アーム部材と弾性部材の間に介在するカム部材と、ストッパ部材をさらに備えており、弾性部材の付勢力は、カム部材とアーム部材を介して扉部材に作用するように構成されており、アーム部材およびカム部材の一方にカム溝が形成されており、アーム部材およびカム部材の他方にカム溝の一方の端部と他方の端部の間でカム溝内を摺動可能なカムピンが取り付けられており、扉部材が完全に閉じた状態から第１開き角度で開いた状態までの間は、カムピンがカム溝内で摺動することで、実質的に弾性部材の付勢力が扉部材に作用せず、扉部材が第１開き角度を超えて開いた状態では、カムピンがカム溝の端部の側面に当接することで、弾性部材の付勢力が扉部材に作用し、扉部材が第１開き角度で開いた状態から完全に閉じた状態まで閉じる際に、ストッパ部材がカム部材と当接して、カムピンがカム溝の端部の側面から離れてカム溝内で摺動するように構成することができる。
【０００９】
上記の扉構造によれば、簡素な構成によって、扉部材が完全に閉じた状態から第１開き角度で開いた状態までの間は、実質的に弾性部材の付勢力が扉部材に作用しないようにすることができる。また、上記の扉構造によれば、扉部材が第１開き角度で開いた状態から完全に閉じた状態まで閉じる際に、カム部材のアーム部材に対する姿勢をストッパ部材により規定することができる。このような構成とすることによって、扉部材を完全に閉じた状態から開く際に、扉部材に常に同じ動作をさせることができる。
【００１０】
上記の扉構造は、扉部材の上面に操作部が配置されているように構成することができる。
【００１１】
上記の扉構造によれば、扉部材の上面に配置されている操作部を視認して操作するために少しだけ扉部材を開く際の、ユーザの使用感を向上することができる。
【００１２】
上記の扉構造は、扉部材が第１開き角度よりも大きい第２開き角度で開いた状態において、扉部材の重量と弾性部材の付勢力が釣り合うように構成することができる。
【００１３】
上記の扉構造によれば、扉部材を第２開き角度で開いた状態では、ユーザが一方の手で扉部材を保持し続けていなくても、扉部材をそのまま保持することができ、ユーザの利便性をより向上することができる。
【００１４】
本明細書は、システムキッチンに組み込まれる食器洗浄機であって、上記の扉構造を有する食器洗浄機も開示する。
【発明の効果】
【００１５】
本明細書が開示する扉構造および食器洗浄機によれば、扉部材が閉じる方向に扉部材を付勢する弾性部材を備える扉構造において、ユーザの使用感を向上することができる。
【図面の簡単な説明】
【００１６】
【図１】（ａ）は実施例の食器洗浄機２について、上部パネル６を閉じた状態の外観を示す図である。（ｂ）は実施例の食器洗浄機２について、上部パネル６を開いた状態の外観を示す図である。
【図２】実施例の食器洗浄機２について、上部パネル６を完全に閉じた状態の外観を示す斜視図である。
【図３】実施例の食器洗浄機２について、上部パネル６を第１開き角度で開いた状態の外観を示す斜視図である。
【図４】実施例の食器洗浄機２について、上部パネル６を完全に開いた状態の外観を示す斜視図である。
【図５】実施例の食器洗浄機２について、上部パネル６を完全に閉じた状態でのアーム３１の近傍を示す斜視図である。
【図６】実施例の食器洗浄機２について、上部パネル６を第１開き角度で開いた状態でのアーム３１の近傍を示す斜視図である。
【図７】実施例の食器洗浄機２について、上部パネル６を完全に開いた状態でのアーム３１の近傍を示す斜視図である。
【図８】実施例の食器洗浄機２について、上部パネル６を完全に閉じた状態でのアーム３１の近傍を示す側面図である。
【図９】実施例の食器洗浄機２について、上部パネル６を第１開き角度で開いた状態でのアーム３１の近傍を示す側面図である。
【図１０】実施例の食器洗浄機２について、上部パネル６を完全に開いた状態でのアーム３１の近傍を示す側面図である。
【図１１】実施例の食器洗浄機２について、カムピン３６の変形例を示す斜視図である。
【発明を実施するための形態】
【００１７】
（実施例）
本発明の実施例に係る食器洗浄機２について、図面を参照しながら説明する。図１（ａ）に示すように、本実施例の食器洗浄機２は、キッチンカウンタＫの下にビルトインされ、システムキッチンの一部を構成する。食器洗浄機２は、いわゆるフロントオープン型の食器洗浄機であり、扉構造４を備えている。扉構造４では、機器本体８の前側開口を開閉する上部パネル６が、機器本体８に対して下方の回動軸まわりで回動可能となっている。図１（ｂ）に示すように、ユーザは上部パネル６を手前に開いて倒し、機器本体８の内部に収容された食器かご９を引き出すことで、食器を出し入れすることができる。食器洗浄機２は、機器本体８の内部の空間に収容された食器に対して、洗浄、すすぎおよび乾燥の各工程を実施することができる。
【００１８】
図１（ａ）に示すように、上部パネル６の上端には操作パネル１０が設けられており、その下方には化粧板１２が取り付けられている。上部パネル６の下方には下部パネル１４が配置されている。下部パネル１４は、化粧板１５を備えている。上部パネル６の化粧板１２や下部パネル１４の化粧板１５は、キッチンカウンタＫの下方に配置された収納部Ｌ１、Ｌ２、Ｍなどのシステムキッチン構成物の表面材と同様の色彩、図柄で塗装され、表面仕上げがされている。従って、食器洗浄機２をビルトインしてシステムキッチンを構成したときに、周囲のシステムキッチン構成物との統一感が得られ、美麗な外観のシステムキッチンに構成することができる。
【００１９】
操作パネル１０の前面には、貫通孔２０と、取っ手２２と、前面操作表示部２４が設けられている。また、操作パネル１０の上端面には、上面操作表示部２５が設けられている。貫通孔２０は操作パネル１０の前面と背面の間を貫通している。貫通孔２０には、上部パネル６が完全に閉じられたときに、機器本体８から前方に突出する排気ノズル２６が挿入される。排気ノズル２６は、機器本体８の内部の食器を収容する空間と連通している。排気ノズル２６の先端は、上部パネル６が完全に閉じられたときに、操作パネル１０の前面とほぼ面一となるように形成されている。食器洗浄機２が高温の水で食器の洗浄やすすぎを行う際に発生する蒸気は、食器洗浄機２が食器を乾燥させる際に排気ノズル２６を介して外部へ排出される。
【００２０】
取っ手２２はユーザが手をかけることが可能な窪み状に形成されている。取っ手２２の内側上面には、図示しない係合解除ボタンが設けられている。ユーザが取っ手２２に手をかけて係合解除ボタンを上方に押し上げると、操作パネル１０の背面に設けられた係合金具２８と、機器本体８の前側開口の上方に設けられた係合部３０との係合が解除される。この状態で、ユーザが上部パネル６を手前に引くことで、上部パネル６を開いて倒すことができる。ユーザが上部パネル６を閉じると、操作パネル１０の係合金具２８が機器本体８の係合部３０と係合して、上部パネル６は完全に閉じた状態で保持される。
【００２１】
前面操作表示部２４と上面操作表示部２５は、食器洗浄機２の運転状態をユーザに提示する表示部や、ユーザからの操作入力を受け入れるスイッチ等が配置されている。前面操作表示部２４には、電源スイッチや、運転開始スイッチや、運転状態表示灯などが配置されている。上面操作表示部２５には、運転コース選択スイッチや、乾燥時間の設定スイッチ、予約設定スイッチなどが配置されている。このように、前面操作表示部２４と上面操作表示部２５を分けて配置することによって、操作パネル１０の前面（すなわち上部パネル６の前面）において操作表示部が占める範囲を小さくして、食器洗浄機２の美観を向上することができる。
【００２２】
上面操作表示部２５は、上部パネル６が完全に閉じられている場合には、キッチンカウンタＫの下方に隠蔽されていて、ユーザが視認したり操作したりすることができない。ユーザが上部パネル６を手前に少し開くと、上面操作表示部２５が露出して、ユーザが上面操作表示部２５を視認したり操作したりすることが可能となる。
【００２３】
図２ー図１０は、食器洗浄機２における扉構造４の開閉動作の様子を示している。なお、図２−図１０においては、機器本体８の側面の外壁や、下部パネル１４、食器かご９などを図示していないことに留意されたい。上部パネル６の左右の両側端にはアーム３１が取り付けられている。機器本体８は、左右の両側面において外壁（図示せず）と内壁３４の二重壁構造を有しており、アーム３１は外壁と内壁３４の間に入り込むように配置されている。アーム３１は、機器本体８の左右方向に伸びる回動軸Ａを介して、機器本体８の内壁３４に固定された保持プレート３２に回動可能に支持されている。回動軸Ａは、上部パネル６の前面の下端（すなわち化粧板１２の下端）よりも下方であり、かつ機器本体８の前側開口よりも前方に配置されている。
【００２４】
アーム３１には、カムプレート３３が連結されている。カムプレート３３は、アーム３１に対して機器本体８の左右方向に伸びる回動軸Ｂ周りに回動可能である。カムプレート３３には、アーム３１から突出するカムピン３６が摺動するカム溝３８が形成されている。図８−図１０に良く示すように、カム溝３８は、円弧状に湾曲した長孔形状に形成されている。カムプレート３３と機器本体８の間は、コイルばね４０によって連結されている。コイルばね４０は、機器本体８の前後方向と上下方向を含む面に沿って配置されている。
【００２５】
図２、図５、図８に示すように、上部パネル６が完全に閉じた状態では、カムピン３６がカム溝３８の一方の端部の側面に当接している。この状態から、上部パネル６を開く方向へ回動させると、上部パネル６とともにアーム３１が回動軸Ａ周りに回動して、カムピン３６がカム溝３８の内部を摺動する。この場合、カムプレート３３はアーム３１と一体的に回動しないため、コイルばね４０は伸張せず、コイルばね４０の弾性復元力（以下では付勢力ともいう）は上部パネル６に作用しない。図３、図６、図９に示すように、上部パネル６を所定の角度（以下では第１開き角度ともいう）まで開くと、カムピン３６がカム溝３８の他方の端部の側面に当接する。上部パネル６を第１開き角度まで開いた状態では、上面操作表示部２５が露出して、ユーザが上面操作表示部２５を視認したり操作したりすることができる。
【００２６】
上部パネル６を第１開き角度で開いた状態から、さらに上部パネル６を開く方向へ回動させると、カムピン３６がカム溝３８の他方の端部の側面に当接したまま、カムプレート３３がアーム３１と一体的に回動する。これにより、コイルばね４０が伸張し、コイルばね４０の弾性復元力が上部パネル６に作用する。コイルばね４０の弾性復元力は、上部パネル６を閉じる方向に作用する。上部パネル６の開き角度が大きくなるほど、上部パネル６へ作用するコイルばね４０の弾性復元力は強くなる。本実施例の食器洗浄機２では、上部パネル６の重量とコイルばね４０の弾性復元力が釣り合う角度（以下では第２開き角度ともいう）が存在する。上部パネル６を第２開き角度まで回動させることで、上部パネル６の上面に配置された上面操作表示部２５を、ユーザから見やすく、操作しやすい位置で保持することができる。上部パネル６を第２開き角度で開いた状態では、ユーザが一方の手で上部パネル６を保持し続けていなくても、上部パネル６はそのまま保持されるので、上面操作表示部２５を視認したり操作したりする際のユーザの利便性をより向上することができる。その後、さらに上部パネル６を開く方向へ回動させると、図４、図７、図１０に示すように、上部パネル６を完全に開いた状態にすることができる。上部パネル６を完全に開いた状態で、ユーザは食器かご９（図１参照）の出し入れを行うことができる。
【００２７】
図４、図７、図１０に示すように、上部パネル６を完全に開いた状態から、上部パネル６を閉じる方向へ回動させると、上部パネル６が閉じられる。この際に、上部パネル６を閉じる方向にコイルばね４０による弾性復元力が上部パネル６に作用しているため、上部パネル６の重量が重い場合でも、ユーザは小さな力で上部パネル６を閉じることができる。図３、図６、図９に示すように、上部パネル６が第１開き角度まで閉じられると、その後さらに上部パネル６を閉じる方向に回動させても、コイルばね４０による弾性復元力が上部パネル６に作用しない。この際に、カムプレート３３は保持プレート３２に形成されたストッパ３９と当接して、コイルばね４０の弾性復元力によるカムプレート３３の移動をストッパ３９が規制する。そして、カムピン３６がカム溝３８の内部を摺動する。図２、図５、図８に示すように、上部パネル６が完全に閉じた状態まで戻されると、カムピン３６がカム溝３８の一方の端部の側面に当接する。
【００２８】
以上のように、本実施例の扉構造４は、機器本体８と、下方の回動軸Ａ周りで機器本体８に対して回動して機器本体８の前側開口を開閉する上部パネル６を備えている。扉構造４は、上部パネル６が閉じる方向に上部パネル６を付勢するコイルばね４０を備えている。扉構造４は、上部パネル６が完全に閉じた状態から第１開き角度で開いた状態までの間は、実質的にコイルばね４０の付勢力が上部パネル６に作用しないように構成されている。
【００２９】
本実施例の扉構造４は、上部パネル６に設けられたアーム３１と、アーム３１とコイルばね４０の間に介在するカムプレート３３と、ストッパ３９をさらに備えている。コイルばね４０の付勢力は、カムプレート３３とアーム３１を介して上部パネル６に作用するように構成されている。カムプレート３３にはカム溝３８が形成されており、アーム３１にはカム溝３８の一方の端部と他方の端部の間でカム溝３８内を摺動可能なカムピン３６が取り付けられている。扉構造４では、上部パネル６が完全に閉じた状態から第１開き角度で開いた状態までの間は、カムピン３６がカム溝３８内で摺動することで、実質的にコイルばね４０の付勢力が上部パネル６に作用せず、上部パネル６が第１開き角度を超えて開いた状態では、カムピン３６がカム溝３８の端部の側面に当接することで、コイルばね４０の付勢力が上部パネル６に作用し、上部パネル６が第１開き角度で開いた状態から完全に閉じた状態まで閉じる際に、ストッパ３９がカムプレート３３と当接して、カムピン３６がカム溝３８の端部の側面から離れてカム溝３８内で摺動する。
【００３０】
本実施例の扉構造４は、上部パネル６の上面に上面操作表示部２５が配置されている。
【００３１】
本実施例の扉構造４は、上部パネル６が第１開き角度よりも大きい第２開き角度で開いた状態において、上部パネル６の重量とコイルばね４０の付勢力が釣り合うように構成されている。
【００３２】
また、本実施例の食器洗浄機２は、システムキッチンに組み込まれる食器洗浄機であって、扉構造４を有している。
【００３３】
なお、上記の実施例では、扉構造４を食器洗浄機２に適用した構成を例として説明したが、本明細書が開示する扉構造は上記以外の種々の機器に適用することが可能である。本明細書が開示する扉構造は、例えば、グリルやレンジ、冷蔵庫など、機器本体の前面開口を扉部材によって開閉する機器であれば、どのような機器についても適用することができる。
【００３４】
上記の実施例では、アーム３１にカムピン３６が取り付けられており、カムプレート３３にカム溝３８が形成されている構成について説明したが、これとは逆に、アーム３１にカム溝を形成し、カムプレート３３にカムピンを取り付ける構成としてもよい。
【００３５】
上記の実施例では、アーム３１が、上部パネル６を回動軸Ａ周りで回動可能に支持しつつ、さらにカムプレート３３とともにコイルばね４０の付勢力を上部パネル６へ伝達する構成について説明したが、上部パネル６を回動軸Ａ周りで回動可能に支持する部材と、カムプレート３３とともにコイルばね４０の付勢力を上部パネル６へ伝達する部材を、それぞれ別個の部材として上部パネル６に取り付ける構成としてもよい。
【００３６】
なお、カムピン３６については、図１１に示すように、アーム３１の一部を切り起こし加工して、アーム３１と一体的に形成してもよい。
【００３７】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００３８】
２     食器洗浄機
４     扉構造
６     上部パネル
８     機器本体
１０   操作パネル
１２   化粧板
１４   下部パネル
１５   化粧板
２０   貫通孔
２２   取っ手
２４   前面操作表示部
２５   上面操作表示部
２６   排気ノズル
２８   係合金具
３０   係合部
３１   アーム
３２   保持プレート
３３   カムプレート
３４   内壁
３６   カムピン
３８   カム溝
３９   ストッパ
【図１】
2016007450.tif 000003
【図２】
2016007450.tif 000004
【図３】
2016007450.tif 000005
【図４】
2016007450.tif 000006
【図５】
2016007450.tif 000007
【図６】
2016007450.tif 000008
【図７】
2016007450.tif 000009
【図８】
2016007450.tif 000010
【図９】
2016007450.tif 000011
【図１０】
2016007450.tif 000012
【図１１】
2016007450.tif 000013